(57)【特許請求の範囲】
【請求項１】
スピン注入により磁化方向が反転されることによって、入射した直線偏光光ビームを、その偏光軸を、磁化方向が反転しないスピン注入型磁化反転素子による反射光の偏光軸と反対方向に回転させて反射する複数のスピン注入型磁化反転素子が、基板上にアレイ状に配設された回折反射部と、
前記回折反射部のスピン注入型磁化反転素子の中から、磁化方向を反転させる前記スピン注入型磁化反転素子を、所定の回折格子を形成するように時分割で選択し、選択されたスピン注入型磁化反転素子によって、各時分割された期間毎に、選択されたスピン注入型磁化反転素子によって形成される回折格子の回折格子周期によって、前記回折反射部による回折反射光の波長を選択する波長選択手段と、
前記回折反射部に直線偏光光ビームを入射させる光ビーム入射手段と、
スピン注入により磁化方向が反転された前記スピン注入型磁化反転素子によって偏光軸が回転された回折反射光を透過させる偏光手段と、
前記偏光手段を透過した前記回折反射光を受光して、画像情報を取得する撮像手段と、
を備えることを特徴とするカラー撮像装置。
【請求項２】
前記波長選択手段は、前記撮像手段によって取得される画像情報の１フレームを分割して構成されるサブフィールドの数に対応して前記時分割を行い、各サブフィールドにおいては、前記回折格子の回折格子周期を、各時分割された期間毎に、前記回折反射光の波長の各色光の回折条件を満足するように設定することを特徴とする請求項１に記載のカラー撮像装置。
【請求項３】
前記偏光手段は、前記波長選択手段によって選択され、スピン注入により磁化方向が反転された前記スピン注入型磁化反転素子によって偏光軸が回転された回折反射光のみを透過するように、偏光軸が設定された偏光板であることを特徴とする請求項１または請求項２に記載のカラー撮像装置。
【請求項４】
前記偏光手段は、前記回折格子の形成による回折反射光の波長の選択と同期して電圧を印加されることによって、前記回折反射光と同じ偏光軸を有するよう液晶の配向を調整可能な液晶偏光素子であることを特徴とする請求項１または請求項２に記載のカラー撮像装置。
【請求項５】
前記波長選択手段および前記偏光手段に接続されるように偏光制御手段をさらに備え、前記偏光制御手段は、前記波長選択手段による回折格子の回折格子周期の設定と、前記偏光手段による前記回折反射光のみを透過するための偏光軸の設定とを、前記サブフィールドの垂直帰線期間内に同期して行うことを特徴とする請求項２または請求項４に記載のカラー撮像装置。
【請求項６】
前記波長選択手段は、前記時分割の期間を選択することによって、前記回折反射光の色温度を制御することを特徴とする請求項１〜請求項５のいずれか１項に記載のカラー撮像装置。
【請求項７】
前記波長選択手段は、前記１フレームにおける前記サブフィールドの数の比率を調整することによって、前記回折反射光の色温度を制御することを特徴とする請求項６に記載にカラー撮像装置。
【請求項８】
前記波長選択手段は、磁化方向を反転させる前記スピン注入型磁化反転素子を、前記回折反射部において空間的に選択することによって、前記回折反射光の色温度を、前記１フレームの画像情報の色温度を領域選択的に制御することを特徴とする請求項６または請求項７に記載のカラー撮像装置。
【請求項９】
前記波長選択手段は、選択する波長範囲を色空間において局所的に任意に限定することによって、局所的な色諧調を拡大するようにしたことを特徴とする請求項１〜８のいずれか１項に記載のカラー撮像装置。
【発明の詳細な説明】
【技術分野】
【０００１】
本発明は、カラー撮像装置に関し、特に、スピン注入による磁化方向の反転による入射光の偏光軸回転を利用して反射光の色分解を行うカラー撮像装置に関する。
【背景技術】
【０００２】
カラー撮像装置においては、入射する光をＲＧＢの３色に色分解し、ＲＧＢに色分解した各光像を撮像素子に入力して各光像毎に光電変換することが行われる。従来、この色分解は、１）単板（オンチップ・カラーフィルタ）、２）単板順次方式、３）多板方式などの方式が採用されている。
【０００３】
１）単板（オンチップ・カラーフィルタ）による色分解は、図９（ａ）に示すように、固体撮像素子の受光面９１に、画素毎にＲ，ＧおよびＢの各原色のカラーフィルタを正方格子状に配置する原色フィルタ（ベイヤ型配列、Ｇは対角の２箇所）と、補色（グリーン、マゼンタ、イエロー、シアンの４色）を正方格子状に配置する補色フィルタ（色差順次配列）を用いる方式がある。単板方式の原色フィルタは、入射光の波長選択性が高いので色再現性が良い。これに対して、補色フィルタは、入射光の波長を広い範囲で有効に利用できるため、光の利用効率を高くとることができる。これらの単板方式の色分解においては、各固体撮像素子に入射する光を、画素毎に配置されたカラーフィルタによって、所定の色の光像として検出する。そして、各画素で各色毎に検出された画像情報を統合して、カラー画像を得ることができる。この単板（オンチップ・カラーフィルタ）による色分解を利用するカラー撮像方式は、デジタルカメラ等に広く用いられている。
【０００４】
また、２）単板順次方式による色分解は、図９（ｂ）および（ｃ）に示すように、ＲＧＢフィルタ領域を区分けした円板状のカラーフィルタ９３を回転させることにより、時分割でカラー撮像を行うものである。図９（ｂ）に示す単板順次方式は、入射光を回転するカラーフィルタ９３を透過させて直接順次色分解し、色分解された入射光をレンズ９４を介して固体撮像素子９２に入射させる方式である。また、図９（ｃ）に示す単板順次方式は、照明光源側にＲＧＢの回転するカラーフィルタ９３を設け、この回転するカラーフィルタ９３によって、光源９５から撮像する被写体に投射する照明光をＲＧＢの３原色に順次分解する方式である（特許文献１等参照）。これによって、レンズ９４を介して固体撮像素子９２によって色像を得るに際して、固体撮像素子９２の画素を解像度として有効に活かすことができる。また、この方式は、被写体の動きがＲＧＢの切り換え時間、すなわち、回転するカラーフィルタ９３の回転速度に対して十分遅い場合に有効な方法である。これらの単板順次方式において、回転するカラーフィルタ９３の回転による色光の切り替えは、固体撮像素子９２による色像の取得と同期して行われる。
【０００５】
さらに、３）多板方式による色分解は、図９（ｄ）に示すように、色分解プリズム９６により各色に分解した光像を、青反射ダイクロイックミラー９６Ｂおよび赤反射ダイクロイックミラー９６Ｒにより、Ｒ，Ｇ、Ｂの各色毎の色像を、３個の固体撮像素子９２Ｒ，９２Ｇ，９２Ｂや撮像管に入射させて感光させて、ＲＧＢそれぞれの色信号を取り出す方式である（例えば、特許文献２等参照）。なお、９７Ｒおよび９７Ｂは、トリミングフィルタである。この多板方式では、ダイクロイックミラーは特定の色を反射し、その補色となる色を透過させる役割を有する。この多板方式による色分解では、ＲＧＢの色信号がそれぞれの固体撮像素子９２Ｒ，９２Ｇ，９２Ｂにより独立に感光して出力されるため、高画質の画像入力系に適している。そのため、この多板方式の色分解は、高画質および高感度が要求される放送用カラーテレビカメラに採用されている。
【特許文献１】特開平７−７７３４号公報
【特許文献２】特開２０００−４４４６号公報
【発明の開示】
【発明が解決しようとする課題】
【０００６】
しかし、単板方式の色分解では、複数画素領域にわたって色分解するため、基本的に解像度が低下する難点がある。また、図９（ａ）に示すように、２×２画素で一組の色分解系を有するフィルタに対して、１画素単位で映像が変化するような白黒明暗情報が取り込まれた場合、白黒情報であるにもかかわらず偽色が現れる。したがって、この偽色信号を抑圧するために、光学ローパスフィルタなどで信号の高域成分をカットする必要がある、という難点がある。
【０００７】
一方、図９（ｂ）および（ｃ）の単板順次方式の色分解では、固体撮像素子９２の画素を解像度として有効に活かすことができ、オンチップ・カラーフィルタにおけるような偽色の発生がない利点がある。しかし、回転するカラーフィルタ９３を機械的に回転させるなどの回転機構部を必要とする難点があり、ＲＧＢの時分割の比率も連続的に変えることができない。また、図９（ｃ）の単板順次方式では、照明光側でＲＧＢの色分解を行うため、その使用がスタジオなどの特定の場所に限られる難点がある。
【０００８】
また、図９（ｄ）の多板方式の色分解では、撮像素子が色分解数に応じて複数必要であること、また、色分解プリズム９６を使用するため高価となり、カメラの小型化が困難である、という難点がある。
【０００９】
以上のとおり、図９（ａ）〜（ｄ）に示した従来の各方式には、それぞれ、高解像度化、偽色信号発生、機構系（時間分解能、安定性）、コンパクト化に難点があり、全てを克服する方式は未だ知られていない。
【００１０】
また、従来のカラー撮像方式では、色分解の範囲は、カラーフィルタ材料やダイクロイック膜で設定されたせいぜい３〜４色に限られ、その基本色（例えば、ＲＧＢ）で囲まれた色域は、人間が知覚できる色域の半分程度に過ぎない。研究開発としては、動画用として６色、静止画用として１２色の色分解の例があるが、これらの場合もカラーフィルタによって基本色が決まり、色分解の範囲を任意に選ぶことはできない。このように限られた
色分解の範囲によって囲まれる色域では、映像の臨場感（コンテンツ制作）や医療・診断、安全・安心、芸術などのための広域な色再現は現状では困難である。
【００１１】
一方、照明光源の色温度によってＲＧＢの照射比率が異なるので、それに応じて被写体から得られる反射光のＲ，Ｇ，Ｂ比率も異なる。このため、カラー撮影では照明光の色温度によりカメラの色温度を調整しなくてはならない（ホワイトバランス処理）。例えば、屋外の太陽光下での撮影では、色温度が５０００〜６０００Ｋ程度となり、屋内の白熱電球下での撮影では３０００〜４０００Ｋ程度の色温度となる。したがって、屋内から屋外へ、あるいは屋外から屋内へ、など色温度が大きく変化するシーンを同じカメラでそのまま撮影することはできない。
【００１２】
従来、このように光源の色温度が大きく変わる場合には、色温度調整フィルタをカメラ光軸上に機械的に挿入することが行われている。したがって、映像は瞬断され、連続的な撮影ができないばかりでなく、カメラマンの負担が大きくなる難点があった。
【００１３】
これに対しては、液晶色温度補正フィルタが開発されている（藤掛英夫、佐藤弘人、飯野芳己、河北真宏、佐藤史郎：映像情報メディア学会誌  Ｖｏｌ．５６，Ｎｏ．９，ｐｐ．１４７５−１４８０（２００２）．）。このフィルタは、２色性色素を液晶に混合し、その複合材料に電圧を印加することにより、短波長の光をカットしたり、あるいは長波長の光をカットしたりするものである。このフィルタには、従来のフィルタ挿入などの機械的な動作は不要で液晶に印加する電圧の調整だけで色温度を連続的に調整できるメリットがある。
【００１４】
しかし、この液晶色温度補正フィルタも、基本的には短波長光カット、あるいは長波長光カットなどの単純な補正しかできない難点がある。
【００１５】
そこで、本発明の課題は、色分解範囲、分解数を従来のカラー撮像方式に比べて拡大・可変して広い色域の映像情報を取得できるカラー撮像装置を提供することにある。さらに、本発明の課題は、従来方式の高解像度化、コンパクト化、機構部なしの高時間解像度化などにおける問題を克服するとともに、色温度補正範囲および補正の効果を柔軟に可変できるばかりでなく、画面上で領域選択的な色温度補正を可能とするカラー撮像装置を提供することにある。
【課題を解決するための手段】
【００１６】
請求項１に係る発明のカラー撮像装置は、スピン注入により磁化方向が反転されることによって、入射した直線偏光光ビームを、その偏光軸を、磁化反転しないスピン注入型磁化反転素子による反射光の偏光軸と反対方向に回転させて反射する複数のスピン注入型磁化反転素子が、基板上にアレイ状に配設された回折反射部と、前記回折反射部のスピン注入型磁化反転素子の中から、磁化方向を反転させる前記スピン注入型磁化反転素子を、所定の回折格子を形成するように時分割で選択し、選択されたスピン注入型磁化反転素子によって、各時分割された期間毎に、選択されたスピン注入型磁化反転素子によって形成される回折格子の回折格子周期によって、前記回折反射部による回折反射光の波長を選択する波長選択手段と、前記回折反射部に直線偏光光ビームを入射させる光ビーム入射手段と、スピン注入により磁化方向が反転された前記スピン注入型磁化反転素子によって偏光軸が回転された回折反射光を透過させる偏光手段と、前記偏光手段を透過した前記回折反射光を受光して、画像情報を取得する撮像手段と、を備えることを特徴とする。
【００１７】
このカラー撮像装置では、回折反射部のスピン注入型磁化反転素子の中から、磁化方向を反転させるスピン注入型磁化反転素子を、所定の回折格子を形成するように時分割で選択し、選択されたスピン注入型磁化反転素子によって、各時分割された期間毎に、選択されたスピン注入型磁化反転素子によって形成される回折格子の回折格子周期によって、回折反射部による回折反射光の波長を選択することによって、各時分割された期間毎に、波長選択手段によって形成された回折格子の回折格子周期によって選択される波長を有し、磁化方向の反転によって偏光軸が回転された回折反射光のみを偏光手段を介して撮像手段に受光させ、選択された波長の色光での画像情報を取得することができる。
【００１８】
請求項２に係る発明は、前記カラー撮像装置において、前記波長選択手段が、前記撮像手段によって取得される画像情報の１フレームを分割して構成される色光サブフィールドの数に対応して前記時分割を行い、各色サブフィールドにおいては、前記回折格子の回折格子周期を、各時分割された期間毎に、前記回折反射光の波長の各色光の回折条件を満足するように設定することを特徴とする。
【００１９】
このカラー撮像装置では、波長選択手段が、撮像手段によって取得される画像情報の１フレームを分割して構成される色光サブフィールドの数に対応して時分割を行い、各色サブフィールドにおいては、回折格子の回折格子周期を、各時分割された期間毎に、回折反射光の波長の各色光の回折条件を満足するように設定することによって、各時分割された期間毎に、波長選択手段によって形成された回折格子の回折格子周期によって選択される波長を有し、磁化方向の反転によって偏光軸が回転された回折反射光のみを偏光手段を介して撮像手段に受光させ、選択された波長の色光での画像情報を取得することができる。
【００２０】
請求項３に係る発明は、前記カラー撮像装置において、前記偏光手段が、前記波長選択手段によって選択され、スピン注入により磁化方向が反転された前記スピン注入型磁化反転素子によって偏光軸が回転された回折反射光のみを透過するように、偏光軸が設定された偏光板であることを特徴とする。
【００２１】
このカラー撮像装置では、偏光手段として、前記波長選択手段によって選択され、スピン注入により磁化方向が反転された前記スピン注入型磁化反転素子によって偏光軸が回転された回折反射光のみを透過するように、偏光軸が設定された偏光板を用いている。そのため、カラー撮像装置では、磁化方向の反転によって偏光軸が回転された回折反射光のみを撮像手段に受光させ、選択された波長の色光での画像情報を取得することができる。
【００２２】
請求項４に係る発明は、前記カラー撮像装置において、前記偏光手段が、前記回折格子の形成による回折反射光の波長の選択と同期して電圧を印加されることによって、前記回折反射光と同じ偏光軸を有するよう液晶の配向を調整可能な液晶偏光素子であることを特徴とする。
【００２３】
このカラー撮像装置では、回折格子の形成による回折反射光の波長の選択と同期して電圧が印加されることによって、回折反射光と同じ偏光軸を有するよう液晶の配向を調整可能な偏光手段としての液晶偏光素子を用いることによって、各時分割された期間毎に、波長選択手段によって形成された回折格子の回折格子周期によって選択される波長を有し、磁化方向の反転によって偏光軸が回転された回折反射光のみを撮像手段に受光させ、選択された波長の色光での画像情報を取得することができる。
【００２４】
請求項５に係る発明は、前記カラー撮像装置において、前記波長選択手段および前記偏光手段に接続されるように偏光制御手段をさらに備え、前記偏光制御手段が、前記波長選択手段による回折格子の回折格子周期の設定と、前記偏光手段による前記回折反射光のみを透過するための偏光軸の設定とを、前記サブフィールドの垂直帰線期間内に同期して行うことを特徴とする。
【００２５】
このカラー撮像装置では、偏光制御手段により、波長選択手段による回折格子の回折格子周期の設定と、偏光手段による回折反射光のみを透過するための偏光軸の設定とを、前記サブフィールドの垂直帰線期間内に同期して行うことによって、撮像手段が、各１フレームごとに所望の色温度の画像情報を得ることが可能となる。
【００２６】
請求項６に係る発明は、前記カラー撮像装置において、前記波長選択手段は、前記時分割の期間を選択することによって、前記回折反射光の色温度を制御することを特徴とする。
【００２７】
このカラー撮像装置では、波長選択手段が、時分割の期間を選択することによって、回折反射光の色温度を制御する。したがって、撮像手段が、各１フレームごとに所望の色温度の画像情報を得ることが可能となる。
【００２８】
請求項７に係る発明は、前記カラー撮像装置において、前記波長選択手段が、前記１フレームにおける前記サブフィールドの数の比率を調整することによって、前記回折反射光の色温度を制御することを特徴とする。
【００２９】
このカラー撮像装置では、波長選択手段が、１フレームにおけるサブフィールドの数の比率を調整することによって、回折反射光の色温度を制御する。したがって、撮像手段が、各１フレームごとに所望の色温度の画像情報を得ることが可能となる。
【００３０】
請求項８に係る発明は、前記カラー撮像装置において、前記波長選択手段が、磁化方向を反転させる前記スピン注入型磁化反転素子を、前記回折反射部において空間的に選択することによって、前記回折反射光の色温度を、前記１フレームの画像情報の色温度を領域選択的に制御することを特徴とする。
【００３１】
このカラー撮像装置では、波長選択手段が、磁化方向を反転させる前記スピン注入型磁化反転素子を、前記回折反射部において空間的に選択して、前記回折反射光の色温度を、前記１フレームの画像情報の色温度を領域選択的に制御することによって、１フレームの画像の所望の領域を所望の色温度の画像情報として得ることができる。
【００３２】
請求項９に係る発明は、前記カラー撮像装置において、前記波長選択手段が、選択する波長範囲を色空間において局所的に任意に限定することによって、局所的な色諧調を拡大するようにしたことを特徴とする。
【００３３】
このカラー撮像装置では、波長選択手段が、選択する波長範囲を色空間において局所的に任意に限定することによって、局所的な色諧調を拡大するようにしたことによって、１フレームの画像の所望の領域を、所望の色諧調の画像情報として得ることができる。
【発明の効果】
【００３４】
本発明にかかるカラー撮像装置によれば、以下の効果を得ることができる。
（１）カラー撮像装置は、従来の３〜４色の限られた色分解に対して任意に色分解できる色再現範囲を大きく拡大できる。
（２）カラー撮像装置は、図９（ｂ）の単板順次方式のように、撮像素子の画素構造をそのまま解像度に活かせるので高解像度化が達成できる。
（３）カラー撮像装置は、使用するスピン回折格子（回折反射部）が数十ナノ秒で動作できるので高速の波長選択ができ、通常のテレビの時間解像度には問題なく適応が可能である。
（４）カラー撮像装置は、使用するスピン回折格子（回折反射部）が電気的に駆動するので、図９（ｂ）のような回転機構部が不要である。
（５）カラー撮像装置は、回折反射部が単板で構成されるため、軽量・コンパクト化が可能である。
（６）カラー撮像装置は、選択する波長の成分を時分割して比率が電気的に調整できるので、色温度の補正を電気的に行うことができる。
【００３５】
そのため、本発明のカラー撮像装置は、色再現において一層臨場感の高い放送を実現でき、また、医療・診断においても、病変組織あるいは生体検査においてテレビによる忠実な色再現が可能になり、医療・診断におけるテレビの応用が拡大できる。さらに、絵画や伝統芸能、伝統工芸品等の記録においても忠実な色再現ができるため、文化財のアーカイブにも貢献できる。
【００３６】
さらに、色域の局所的拡大が可能になるため、わずかな色調変化で従来のＴＶカメラ（ビデオカメラ）では検出が困難であった水質汚濁の監視、海面への油流出の検知が可能となる、など安全・安心確保の面でもＴＶカメラ（ビデオカメラ）の応用が拡大できる。また、工業デザインや服飾開発なども、色域の局所的拡大によって、電子データ化することが可能になる。また画面上、領域選択的に色温度補正ができるので、全体照明では実現し得ない局所的色温度選択により特殊演出も可能になる。
【発明を実施するための最良の形態】
【００３７】
以下、本発明のカラー撮像装置について詳細に説明する。
図１は、本発明のカラー撮像装置の構成例を示す模式概念図である。
図１に示すカラー撮像装置１は、回折反射部２と、波長選択手段３と、光ビーム入射手段４と、偏光素子（偏光手段）５と、撮像素子（撮像手段）６とを備える。また、レンズ１３は、光ビーム入射手段４に入射する画像情報を有する入射光Ｌ１を光ビーム入射手段４に入射させるものである。
【００３８】
回折反射部２は、基板７の上に、複数のスピン注入型磁化反転素子（以下、「素子」と略記する）８が、各素子８の間に介設された絶縁層９によって電気的および磁気的に絶縁された状態で、アレイ状に配設された構成を有する。この回折反射部２において、素子８は、図２（ａ）に示すように、基板７の上に、直交するＸ軸方向およびＹ軸方向に沿ってマトリックス状に配置されている。各素子８の下部には下部電極１０が配置され、上部には上部透明電極１１が配設されている。そして、下部電極１０は、図１中、紙面に対して垂直な方向に直列に接続され、上部透明電極１１は、図１中、紙面に沿った方向に直列に接続されている。すなわち、下部電極１０と、上部透明電極１１とは、図２（ａ）に示すように、それぞれがＸ軸およびＹ軸に沿って、相互に直交するように配置されている。
【００３９】
基板７としては、例えば、シリコン（Ｓｉ）、酸化シリコン（ＳｉＯ２）、酸化マグネシウム（ＭｇＯ）、ガラス等が用いられる。
【００４０】
素子８は、下部電極１０の側から、上部透明電極１１に向けて、スピン固定強磁性層８１、非磁性中間層８２およびスピンフリー強磁性層８３の順に積層された断面柱状の構成を有する。
【００４１】
スピン固定強磁性層８１は、強磁性材料からなり、磁化方向が固定されている層である。強磁性材料としては、金属系ハーフメタルなどスピン分極率の高い材料を用いることが好ましい。例えば、Ｃｏ２ＭｎＡｌ、Ｃｏ２ＭｎＳｉ、Ｃｏ２Ｃｒ０．６Ｆｅ０．４Ａｌ、ＣｏＦｅＢ、ＭｉＭｎＳｂなどの大きなスピン偏極率を有する材料が挙げられる。また、酸化物系ハーフメタルとしては、Ｌａ０．７Ｓｒ０．３Ｍｎ０３、Ｓｒ２Ｆｅ（Ｗ０．４Ｍｏ０．６）Ｏ６、Ｓｒ２ＦｅＲｅＯ６、ＣｒＯ２、Ｆｅ３Ｏ４などが挙げられる。これらの中でも、強磁性材料として、スピン分極率が高いことが好ましい。さらに、スピン固定強磁性層８１は、これらの材料の組成の異なる層やＩｒＭｎなどのスピン固着層と組み合わせた２〜３層構造であってもよい。このスピン固定強磁性層８１の膜厚は、数〜数十ｎｍ程度である。このスピン固定強磁性層８１は、分子線エピタキシー（ＭＢＥ）法やスパッタ法などによって、下部電極１０の上に形成される。
【００４２】
非磁性中間層８２は、スピンフリー強磁性層８３に進入した光を入射面側に反射させる必要があるため、入射光（例えばＲＧＢ光）に対する反射率の大きい材料を用いることが望ましく、例えば、Ｃｕ等で形成することができる。この非磁性中間層８２の膜厚は、偏極スピン電子がトンネルできる厚さ（２〜３ｎｍ）とすることが好ましい。この非磁性中間層８２は、ＭＢＥ法やスパッタ法などによって、スピン固定強磁性層８１の上に形成することができる。
【００４３】
スピンフリー強磁性層８３は、偏極スピン電子の注入により磁化方向が反転して、磁気光学効果（カー効果）によって、入射光の偏光軸を磁化反転しない素子と反対方向に回転させて反射する役割を有する層である。このスピンフリー強磁性層８３を形成する強磁性材料としては、例えば、ＣｏＦｅ、ＮｉＦｅなどが挙げられる。スピン注入磁化反転に要する電流を低減できる点では、低飽和磁化および低ダンピング定数でスピン歳差運動の緩和時間が大きく、スピン流が大きくなるような特性を持つものが好ましい。また、大きな磁気光学効果を実現するという点では、ＰｔＭｎＳｂ、ＭｎＢｉ，あるいはＰｔ／Ｃｏ、Ｐｔ／Ｆｅ、Ｐｄ／Ｃｏ、ＦｅＰｔ／Ｐｔ、ＴｂＦｅＣｏ／Ｐｔなどの人工格子でもよい。このスピンフリー強磁性層８３の膜厚は、２〜数ｎｍ程度である。このスピンフリー強磁性層８３は、非磁性中間層８２の上にＭＢＥ法やスパッタ法などによって形成することができる。
【００４４】
また、基板７と、スピン固定強磁性層８１との間に設けられる下部電極１０は、スピンフリー強磁性層８３の上に設けられる上部透明電極１１とともに、スピンフリー強磁性層８３に偏極スピン電子を注入するためのスピン注入用電極を構成する。この下部電極１０と上部透明電極１１の間に下部電極１０を負に、上部透明電極１１を正に電圧を印加することによって、スピンフリー強磁性層８３にスピン偏極電子が注入される。スピン注入による磁化反転後、正負逆方向に電圧を印加すれば、スピンフリー強磁性層８３の磁化方向はスピン注入前の状態に戻る。
【００４５】
この下部電極１０は、基板７の上に、ＴａやＣｒなどの金属材料をスパッタ法などで堆積し、リソグラフィー法などで所望のサイズの電極母線に加工して形成することができる。また、基板７としてＳｉやＭｇＯを用いる場合には、電極材料をエピタキシャル成長させて形成することもできる。
【００４６】
また、上部透明電極１１は、スピンフリー強磁性層４３に効率よく光を進入させるため、入射光に対して透明な材料を用いることが望ましい。例えば、ＩＺＯあるいはＩＴＯなどを用いることができる。
【００４７】
波長選択手段３は、下部電極１０と、上部透明電極１１とに接続され、素子８への電圧の印加を制御する。この制御により、下部電極１０と、上部透明電極１１との間に、下部電極１０を負に、上部透明電極１１を正に電圧が印加された素子８におけるスピンフリー強磁性層８３の磁化方向が反転される。この波長選択手段３において、回折反射部２を構成する複数の素子８の中から、磁化方向を反転させる素子８を、時分割で選択し、各時分割された期間毎に、所定の回折格子周期ｄの回折格子を形成するものである。そして、選択されたスピン注入型磁化反転素子によって、各時分割された期間毎に、選択されたスピン注入型磁化反転素子（素子８）によって形成される回折格子の回折格子周期ｄによって、前記回折反射部による回折反射光の波長を選択するものである。
【００４８】
この波長選択手段３による素子８の選択は、図２（ａ）に示すように、図中垂直方向の下部電極列Ｘ１，Ｘ２〜Ｘｎと、図中水平方向の上部電極列Ｙ１，Ｙ２〜Ｙｎにおいて、電圧を印加する電極を選択することによって行うことができる。下部電極列Ｘ１，Ｘ２〜Ｘｎと、上部電極列Ｙ１，Ｙ２〜Ｙｎとからそれぞれ選択された電極の間に電圧を印加すると、その選択された両電極が交差する位置の素子８に電圧が印加され、スピンが注入されて磁化方向が反転される。すなわち、電圧を印加する電極の選択によって、回折反射部２にマトリクス状に配列された素子８の中から磁化反転する素子８を選択することができる。例えば、図２（ａ）では、下部電極Ｘ３と、上部電極Ｙ１、・・・Ｙｎとの間、また、下部電極Ｘ６と、上部電極Ｙ１、・・・Ｙｎとの間、下部電極Ｘ９と、上部電極Ｙ１、・・・Ｙｎ、・・・との間に電圧を印加することによって、それぞれの交点に該当する素子８に電圧を印加することができる。これによって、図２（ａ）に白抜きで示すように、磁化方向が反転された素子を、図中水平方向に磁化反転されない素子２つを挟む間隔（回折格子周期ｄ＝３Ｄ，Ｄ：素子周期（素子８の図中水平方向の配列間隔）で図中垂直方向一列で並んだ状態で形成し、これによって回折格子周期ｄの回折格子が形成される。
【００４９】
この波長選択手段３は、図４に示すように、撮像素子６によって取得される画像情報の１フレームを分割して構成される色光サブフィールドの数に対応して時分割を行い、各色サブフィールドにおいては、磁化方向が反転した素子８によって形成される回折格子の回折格子周期ｄを、各時分割された期間毎に、回折反射光の波長の各色光の回折条件である下記式（１）（図３参照）を満足するように設定する。
ｓｉｎα±ｓｉｎβ＝ｍλ／ｄ        （１）
式（１）中、Ｎ＝１／ｄ（ｄ：回折格子周期）、入射光の波長λ、入射光が回折格子面法線と成す角α（入射角）、回折光が回折格子面法線と成す角β（回折角）、回折次数ｍ、ｄは回折格子周期である。
これによって、各時分割された期間毎に、波長選択手段によって形成された回折格子の回折格子周期によって選択される波長を有し、磁化方向の反転によって偏光軸が回転された回折反射光のみを偏光素子（偏光手段）５を介して撮像素子（撮像手段）６に受光させ、選択された波長の色光での画像情報を取得することができる。
【００５０】
また、波長選択手段３は、時分割の期間を選択することによって、回折反射光の色温度を制御する。これによって、撮像素子（撮像手段）６が、各１フレームごとに所望の色温度の画像情報を得ることが可能となる。この時分割の期間の選択は、図４に示すように、１フレームにおける各色光のサブフィールドの数の比率を調整することによって行うことができる。これによって、偏光素子５を透過して到達する回折反射光を撮像素子６が受光して、所定の色温度の画像情報を得ることができる。
【００５１】
さらに、波長選択手段３は、電圧の印加によって磁化方向を反転させる素子８を、回折反射部２を構成する素子８の中から、空間的に選択することによって、回折反射光の色温度を空間的に制御して、１フレームの画像情報の中で領域を選択して、その領域を所望の色温度にすることが可能となる。ここで、磁化方向を反転させる素子を、回折反射部２を構成する素子８の中から、空間的に制御する、とは、回折反射部２を構成する素子８の中から、例えば、回折格子周期ｄ１の回折格子の領域と、回折格子周期ｄ２の回折格子の領域を各時分割された期間毎に選択し、各回折格子の領域において、それぞれ選択された波長の色光を回折反射光として得ることを言う。そして、具体的には、各時分割された期間毎に選択し、各回折格子の領域において、１フレームにおける各色光のサブフィールドの数の比率を調整することによって、各領域の色温度を調整することを言う。
【００５２】
また、波長選択手段３は、磁化方向を反転させる素子によって形成される回折格子の回折格子周期を、各時分割の期間毎に選択することによって、選択する波長範囲を色空間において局所的に任意に限定して、局所的な色諧調を拡大することができる。これによって、１フレームの画像の所望の領域を、所望の色諧調の画像情報として得ることができる。ここで、選択する波長範囲を色空間において局所的に任意に限定して、局所的な色諧調を拡大すること、とは、撮影画像の通常のＲＧＢ色分解に対して、注目する画面領域が、特定の色（例えば青色系）に偏っている場合、その画面領域の微妙な色変化は検出できないので、このような場合、通常のＲＧＢの色空間で撮影するのではなく、青色領域にシフトした新しい色空間を設定すれば、特定の色（例えば青色系）周辺の微妙な変化を検出することができる、ことを意味する。
【００５３】
また、光ビーム入射手段４は、回折反射部２の素子８の上部の素子８に入射する光ビームの光路上に配設され、被写体（図示せず）からの光像（画像情報）を含む入射光を、レンズ１３を介して入射して、直線偏光光ビームＬ２として回折反射部２に入射させる役割を有するものである。この光ビーム入射手段４として、例えば、光源（図示せず）から照射され被写体からの画像情報を含む入射光Ｌ１を直線偏光光ビームＬ２とするものである。この光ビーム入射手段４としては、液晶偏光素子、偏光板などを用いることができる。
【００５４】
さらに、偏光素子（偏光手段）５は、回折反射部２を構成するスピン注入型磁化反転素子（素子８）によって反射された反射光のうち、スピン注入により磁化方向が反転された素子８によって反射され、偏光軸が回転された回折反射光を透過させる。そして、この偏光素子５においては、スピン注入されず磁化方向が反転されていない素子８によって偏光軸が回転された反射光は、透過しない。そして、スピン注入により磁化方向が反転された素子８によって、磁化方向が反転されていない素子８による反射光の偏光軸と反対方向に偏光軸が回転された反射光が透過する。そのため、スピン注入により磁化方向が反転された素子８によって偏光軸が回転され、この偏光素子５を透過した反射光のみが干渉して、回折反射光となる。この偏光素子５としては、液晶偏光素子、偏光板などを用いることができる。
【００５５】
この偏光素子５は、偏光制御手段１２によって、前記の波長選択手段３による回折格子の形成による回折反射光の波長の選択と同期して行うことが好ましい。偏光制御手段１２は、波長選択手段３と、偏光素子５と、撮像素子６とに接続する位置に設置されている。そして、偏光制御手段１２によって、液晶偏光素子からなる偏光素子５に印加する電圧を調整することによって、回折反射部２からの回折反射光と同じ偏光軸を有するよう液晶偏光素子を構成する液晶の配向を調整することができる。これによって、偏光素子５は、各時分割された期間毎に、波長選択手段３によって形成された回折格子の回折格子周期ｄによって選択される波長を有し、磁化方向の反転によって偏光軸が回転された回折反射光のみを撮像素子６に受光させ、選択された波長の色光での画像情報を取得することが可能となる。
【００５６】
また、偏光素子５は、前記の各時分割された期間毎に、偏光制御手段１２による偏光素子５への電圧の印加の調整による透過可能な偏光軸の設定を、回折反射光のみを透過するために、前記サブフィールドの垂直帰線期間内に、波長選択手段３による回折格子の回折格子周期ｄの設定と同期して行うことが好ましい。これによって、撮像素子６が、各１フレームごとに所望の色温度の画像情報を得ることが可能となる。
【００５７】
撮像素子（撮像手段）６は、偏光素子５を透過した回折反射光を受光して、撮像面に投影された光像を光電変換して電気信号に変換して、画像情報を取得する役割を有するものである。この撮像素子６としては、汎用の撮像素子を用いることができ、特に限定されない。例えば、ＣＣＤ、ＣＭＯＳ等の固体光電変換素子、撮像管などを用いることができる。
【００５８】
この撮像素子６において、光ビーム入射手段４によって、直線偏光光ビームＬ２として回折反射部２に入射した、被写体（図示せず）からの光（画像情報）を含む入射光は、波長選択手段３によって選択され磁化方向が反転された素子８によって形成される回折格子によって所定の偏光軸を有する回折反射光として反射される。そして、素子８によって反射された入射光は、偏光素子５を透過した回折反射光が撮像素子６によって受光され、受光された光像は光電変換して電気信号に変換され、画像情報として取得される。この受光された光像の１フレームにおいて、各時分割された期間毎に、回折反射部２において波長選択手段３によって選択された素子８で形成される回折格子によって、各サブフィールドで回折反射される回折反射光の波長が選択され、これによって、１フレームにおける各色光サブフィールドの数の比率およびサブフィールドの期間（幅）が制御され、所望の色温度の被写体画像を得ることができる。
【００５９】
次に、カラー撮像装置１における回折反射および画像情報の取得について説明する。
このカラー撮像装置１においては、回折反射部２の素子８の上部に被写体（図示せず）からの光像（画像情報）を含む入射光Ｌ１をレンズ１３および光ビーム入射手段４を介して入射させる。そして、この光ビーム入射手段４を通った入射光（Ｌ２）は、直線偏光光ビームＬ２として回折反射部２にアレイ状に配設された素子８に入射する。
【００６０】
回折反射部２においては、光ビーム入射手段４から入射した直線偏光した入射光（Ｌ２）は、上部透明電極１１を透過して、アレイ状に配設された素子８のスピンフリー強磁性層８３に入射する。
【００６１】
そして、波長選択手段３によって素子８が選択され、下部電極１０と上部透明電極との間に電圧を印加され、磁化方向が反転した素子８のスピンフリー強磁性層８３によって入射光が反射される。このとき、素子８における磁化方向による光の偏光軸のカー回転効果を利用して入射した入射光Ｌ１の偏光軸が回転する。一般に、カー回転効果においては、同一の方向に一様に磁化された材料中を光が進行すると、その磁化方向を形成するのに必要な電流の方向に沿ってその光の偏光軸が回転する。そして、材料の一部領域のみ磁化方向を反転させると、その領域を通過または反射する光の偏光軸は、他の磁化方向が反転していない領域を通過または反射する光の偏光軸と逆向きに回転する。そこで、回折反射部２においては、この部分的な磁化反転が、アレイ状に配設された素子８で実現される。すなわち、波長選択手段３によって選択された、下部電極１０と上部透明電極１１との間に電圧を印加すると、その電圧が印加された下部電極１０と上部透明電極１１の素子８に、スピン偏極（スピン）が注入され、その素子８のスピンフリー強磁性層８３の磁化方向が反転される。例えば、図１に示す回折反射部２では、電圧が印加されず磁化方向が反転されていない素子８（非磁化反転素子８Ｂ：図１中、スピンフリー強磁性層８３を黒く塗り潰した素子）では、スピンフリー強磁性層８３の磁化方向は、スピン固定強磁性層８１の磁化方向に対して反対方向となっている。これに対して、下部電極１０と上部透明電極１１によって電圧が印加された素子８（磁化反転素子８Ａ：図１中、スピンフリー強磁性層８３を白抜きした素子）では、スピン固定強磁性層８１からスピンフリー強磁性層８３にスピンが注入される。これによって、スピンフリー強磁性層８３の磁化方向が反転され、磁化方向がスピン固定強磁性層８１の磁化方向と同一方向となる。
【００６２】
このとき、回折反射部２に入射する、直線偏光した入射光（Ｌ２）の偏光軸の角度をＬとし、非磁化反転素子８Ｂの磁化方向が反転されていないスピンフリー強磁性層８３によって反射され、偏光軸が回転された反射光Ｌ２（−）の偏光軸の角度をＬ−δとすると、磁化反転素子８Ａでは、磁化方向が反転されたスピンフリー強磁性層８３で反射された反射光Ｌ２（＋）の偏光軸の角度は、非磁化反転素子８Ｂによる反射光Ｌ２（−）の偏光軸（角度Ｌ−δ）と反対方向となり、Ｌ＋δとなる。そして、偏光素子５において、偏光軸の角度がＬ＋δの光Ｌ２（＋）のみを透過するようにすれば、偏光素子５を透過して干渉して回折反射光となり、撮像素子６によって受光される。
【００６３】
ここで、前記式（１）において、Ｎ＝１／ｄ（ｄ：回折格子周期）とすれば、下記式（２）となる。
ｓｉｎα±ｓｉｎβ＝ｍλ／ｄ        （２）
式（２）中、波長λ、入射光が回折格子面法線と成す角α（入射角）、回折光が回折格子面法線と成す角β（回折角）、回折次数ｍ、ｄは回折格子周期である。
したがって、図１に示す、磁化反転素子８Ａによって形成される回折格子では、隣接する磁化反転素子８Ａの間の間隔をｄ（回折格子周期）とすれば、入射角αで磁化反転素子８Ａに入射した波長λの光ビームは、回折角（反射角）βで反射したものが干渉して回折反射光となることが分かる。そこで、例えば、入射する光ビームが波長λで入射角αで回折反射部２に入射する場合、波長選択手段３によって下部電極１０と上部透明電極１１の間に電圧を印加してスピン注入により磁化方向が反転される素子８、すなわち、磁化反転素子８Ａの間隔をｄ（回折格子周期）に設定すれば、回折角（反射角）βで反射する反射光が干渉によって回折反射光となる。また、入射角αおよび回折角（反射角）βを一定の値とすれば、磁化反転素子８Ａの間隔（回折格子周期）を変更することによって、回折する光ビームの波長λを変えることができる。したがって、波長選択手段３によって、下部電極１０と上部透明電極１１の間に電圧を印加してスピン注入により磁化方向が反転される素子８、すなわち、磁化反転素子８Ａの間隔（回折格子周期）を制御すれば、回折される光ビームの波長を選択することができる。
【００６４】
次に、この回折反射部２における光ビームの回折について、図２（ａ）および（ｂ）に基づいて説明する。
図２（ａ）に示すように、回折反射部２において、Ｘ軸およびＹ軸方向に沿ってアレイ（格子）状に配設されている素子８の中から、波長選択手段３（図１参照）によって、下部電極列Ｘ１，Ｘ２〜Ｘｎと、上部電極列Ｙ１，Ｙ２〜Ｙｎとにおいて、電圧を印加する電極が選択される。下部電極列Ｘ１，Ｘ２〜Ｘｎと、上部電極列Ｙ１，Ｙ２〜Ｙｎとからそれぞれ選択された電極の間に電圧を印加すると、その選択された両電極が交差する位置の素子８に電圧が印加され、スピンが注入されて磁化方向が反転される。すなわち、電圧を印加する電極の選択によって、マトリクス状に配列された素子８のアレイの中から磁化反転する素子８を選択することができる。この図２（ａ）に示す回折反射部２では、下部電極Ｘ３と、上部電極Ｙ１、・・・Ｙｎとの間、また、下部電極Ｘ６と、上部電極Ｙ１、・・・Ｙｎとの間、下部電極Ｘ９と、上部電極Ｙ１、・・・Ｙｎ、・・・との間に電圧を印加することによって、それぞれの交点に該当する素子８に電圧を印加することができる。これによって、図２（ａ）に白四角で示すように、磁化反転素子８Ａを、Ｘ軸方向に非磁化反転素子８Ｂ（図２（ａ）に示す黒四角）２つを挟む間隔（回折格子周期ｄ＝３Ｄ，Ｄ：素子周期（素子８のＹ軸方向の配列周期）でＹ軸方向に一列で並んだ回折格子を形成することができる。
【００６５】
そして、図２（ｂ）に示すように、磁化方向が反転された磁化反転素子８Ａによって形成される領域を「反射光ＯＮ」の領域とし、磁化方向が反転されていない非磁化反転素子８Ｂで形成される領域を「反射光ＯＦＦ」の領域とすれば、波長選択手段３（図１参照）によって、反射光ＯＮの領域と、反射光ＯＦＦの領域を空間的に電気的に選択できることになる。そして、この回折反射部２では、図１において説明したとおり、直線偏光した入射光λ２が入射すると、反射光ＯＮの領域で反射された反射光Ｌ２（＋）の偏光軸は、反射光ＯＦＦの領域で反射された反射光Ｌ２（−）の偏光軸の回転方向と反対方向となる。すなわち、直線偏光した入射光（Ｌ２）の偏光軸の角度をＬとし、非磁化反転素子８Ｂの磁化方向が反転されていないスピンフリー強磁性層８３によって反射され、偏光軸が回転された反射光Ｌ２（−）の偏光軸の角度をＬ−δとすると、磁化反転素子８Ａでは、磁化方向が反転されたスピンフリー強磁性層８３で反射された反射光Ｌ２（＋）の偏光軸の角度は、非磁化反転素子８Ｂによる反射光Ｌ２（−）の偏光軸（角度Ｌ−δ）と反対方向となり、Ｌ＋δとなる。そして、偏光素子５（図１参照）において、偏光軸の角度がＬ＋δの光Ｌ２（＋）のみを透過するようにすれば、偏光素子５を透過して干渉して回折光となる。したがって、この「反射光ＯＮ」の領域を形成する素子８を、波長選択手段３（図１参照）によって従来の回折格子の帯状溝のように周期的に設定すれば、式（２）で表される関係にある波長λ、入射角α、回折角（反射角）β、回折格子周期ｄ＝３Ｄ，（Ｄ：素子周期（素子８のＹ軸方向の配列周期）である「反射光ＯＮ」の領域からの反射光は、偏光素子５（図１参照）によって選択されて透過し、相互に干渉して、波長λの回折反射光（偏光軸の角度：Ｌ＋δ）となる。これによって、波長選択手段３（図１参照）によって、回折格子周期ｄを電気的に選択することによって、磁化反転素子８Ａによって反射され、偏光軸が回転され、さらに偏光素子５を透過して、撮像素子６に受光される回折反射光の波長を選択できることになる。
【００６６】
以上、図１、図２（ａ）および図２（ｂ）について説明したとおり、波長選択手段３によって、アレイ状に配設された素子８の中から、下部電極１０と、上部透明電極１１との間に電圧を印加して形成される「反射光ＯＮ」の領域と、電圧を印加していない「反射光ＯＦＦ」の領域を、電圧の印加の有無によって任意に選択することができる。そして、図２（ａ）および（ｂ）に示す回折反射部２では、直線偏光した光ビーム（偏光軸の角度：Ｌ）の入射角α、回折角（反射角）βを所定の値に固定すれば、波長選択手段３により電圧を印加する素子８を選択して、非磁化反転素子８Ｂを挟んで、Ｙ軸方向に一列に並んだ磁化反転素子８Ａの間の間隔、すなわち回折格子周期ｄを可変して回折する光の波長を選択することができる。すなわち、回折反射部２においては、波長選択手段３は、回折反射部２を構成する素子８の中から、下部電極１０と、上部透明電極１１とによって電圧を印加する素子８を周期的かつ帯状に選択することによって、回折反射光の波長を選択できる。
【００６７】
ここで、前記式（２）により、選択する波長（回折反射光の波長）が長い場合には、回折格子周期ｄ、すなわち、磁化反転素子８Ａの配列周期を大きく、波長が短い場合は回折格子周期ｄ、すなわち、磁化反転素子８Ａの配列周期を小さくするように、波長選択手段３（図１参照）によって電圧を印加する素子８の間隔を制御することにより、同じ入射角αと回折角βで回折させることができる。例えば、図１に示す回折反射部２において、α＝β＝３０度、緑色光（λ＝５５０ｎｍ）を選択すれば、回折格子周期ｄ＝５５０ｎｍ（従来の回折格子における溝本数１８１８本／ｍｍに相当）で緑色の回折反射光が得られる。また、同じ入射角αと回折角βで、回折格子周期ｄ＝４５０ｎｍ（溝本数２２２２本/ｍｍに相当）で青色光（λ＝４５０ｎｍ）の回折反射光が得られる。さらに、赤色の回折反射光（λ＝６５０ｎｍ）では回折格子周期ｄ＝６５０ｎｍ（溝本数１５３８本／ｍｍに相当）にすることによって得られる。このように、光ビーム入射手段４から入射する直線偏光した入射光（Ｌ２）を、ＲＧＢ色分解して各波長の光に応じて回折光を得る場合は、個々の素子８の配列周期Ｄのサイズを、１００ｎｍ以下とする必要があり、さらに小さいサイズとすることにより波長分解能が向上する。このとき、必要となる素子８のサイズは、入射角α、回折角βが小さくなるにしたがって、大きくなる。そして、現状の半導体微細加工技術は、超高精細電子線リソグラフィーなどを用いて、８インチウエーハに対して２０ｎｍの加工精度を有しているので、このようなサイズの素子（スピン注入型磁化反転素子）８は、数十ｎｍのスケールで作製できる。そのため、本発明のカラー撮像装置１における回折反射部２は、従来の回折格子の溝本数〜数１０００本／ｍｍと同等の実効溝本数に相当する回折格子周期ｄを実現でき、また、素子８における磁化反転はナノ秒オーダの高速で起こるので、回折格子周期ｄを高速で可変制御できる。
【００６８】
この回折反射部２の製造は、ＭＢＥ法やスパッタ法、あるいはエピタキシャル成長法によって、基板７上に、下部電極１０、スピン固定強磁性層８１、非磁性中間層８２、スピンフリー強磁性層８３および上部透明電極１１の順に形成することによって行うことができる。このとき、回折反射部２においては、図１に示すように、下部電極１０、スピン固定強磁性層８１、非磁性中間層８２、スピンフリー強磁性層８３および上部透明電極１１の順に柱状に積層されて形成される複数の素子８が、アレイ状に配設され、相隣接する素子８同士は、絶縁層９を設けて、相互に電気的および磁気的に絶縁するため、スピンフリー強磁性層８３などをリソグラフィーなどによるメサエッチングで加工してもよいし、窒素などの局所的イオン注入によって絶縁層９を形成してもよい。
【００６９】
そして、本発明のカラー撮像装置１では、波長選択手段３の回折格子周期ｄの制御による回折反射光の波長の選択を、撮像素子６によって取得される画像情報の１フレームを時分割してＲ，Ｇ，Ｂそれぞれの撮像のためのサブフィールドに分解して行う。すなわち、波長選択手段３によって、図３に示すように、それぞれのサブフィールドの期間、すなわち、各時分割された期間毎に、Ｒ，Ｇ，Ｂのいずれかの波長を選択するために、各波長に対応した回折格子周期ｄを、前記の回折反射光の波長の各色光の回折条件を満足するように、回折反射部２における素子８を選択して回折格子を形成する。このとき、各サブフィールドにおいて、波長選択手段３による波長の選択と同時に、偏光素子５を制御する偏光制御手段１２によって、偏光素子５を透過する回折反射光の偏光軸の回転角度を選択する。これによって、各時分割された期間毎、すなわち各サブフィールド毎に、波長選択手段３によって形成された回折格子の回折格子周期ｄによって選択される波長を有し、磁化方向の反転によって偏光軸が回転された回折反射光のみを偏光素子５を介して撮像素子６に受光させ、選択された波長の色光での画像情報を各サブフィールド毎に取得することができる。
【００７０】
そして、この各サブフィールドにおける波長選択手段３による回折反射光の波長の選択および偏光素子５による回折反射光の偏光軸の回転角度の選択は、図３に示すように、各サブフィールドの垂直帰線期間内に同期して行う。これによって、撮像素子６が、各１フレームごとに、各色光のサブフィールドで構成される所望の色温度の画像情報を得ることが可能となる。そして、回折反射光の色温度の制御は、波長選択手段３における前記時分割の期間を選択し、その時分割された期間毎、すなわち、サブフィールドの期間毎に回折格子周期ｄを制御して回折反射光の波長を選択することによって行うことができる。
【００７１】
また、図４に示すように、１フレームをさらに多数のサブフィールドに時分割し（図４では１０サブフィールド）、Ｒ，Ｇ，Ｂそれぞれの各色光（波長）のサブフィールドの数の比率を調整することによって、撮像素子６によって受光される回折反射光の１フレームごとの色温度を制御することができる。例えば、図４においては、Ｂの選択サブフィールドを多く選択すれば、高温の色温度（ハイパスフィルター）の回折反射光となり、逆に、Ｒの選択フィールドの数を多くすれば、低温の色温度（ローパスフィルター）となる。これによって、撮像素子６は、各１フレームごとに所望の色温度の画像情報を得ることができる。ここで、Ｒ，Ｇ，Ｂそれぞれの選択サブフィールドを時系列でまとめれば、偏光素子５における透過する回折反射光の偏光軸の制御はまとめて行うことができる。
【００７２】
さらに、本発明のカラー撮像装置１において、波長選択手段３が、磁化方向を反転させる素子８を、回折反射部２において空間的に選択することによって、１フレームの画像情報の色温度を領域選択的に制御することができる。図５（ａ）および（ｂ）に、この磁化方向を反転させる素子８の空間的な選択による色温度の領域選択的な制御の例を示す。図５（ａ）に示す画面は、一部は太陽光による照明領域（図５（ａ）中、左斜め上の領域）で、一部は白熱電球による照明領域（図５（ａ）中、右斜め下の領域）からなる被写体の画像を示す。このような被写体の場合、図５（ｂ）に示すように、色温度を、それぞれの領域で別々に補正することによって、被写体の照明に対する反射率の相違や全体照明では実現し得ない色温度分布を任意に調整して、より自然な映像を得ることが可能となる。
【００７３】
図６は、図５（ｂ）に示す、領域選択的な色温度の補正を可能とするカラー撮像装置１における回折反射部２の例（ハイビジョン用）を示す。この回折反射部２においては、上部透明電極１１（Ｘ１，Ｘ２，Ｘ３，・・・・）と下部電極１０（Ｙ１，Ｙ２，Ｙ３，・・・・）によって個々の素子８を個別に駆動して、撮像素子６の画素に対応させて、画素対応ユニット行（Ｙ１，Ｙ２，Ｙ３，・・・）列（Ｘ１，Ｘ２，Ｘ３，・・・）に区画し、それぞれの画素対応ユニットから回折される回折反射光が対応する撮像素子の画素に入射するように構成する。この区画は物理的な構造ではなく動作上の区画であり、図６の例では、１区画、すなわち個々の画素対応ユニットは１０ｘ１０の磁化反転素子８Ａから成り、画素対応ユニット（Ｘ１，Ｙ１），（Ｘ１，Ｙ２），（Ｘ１，Ｙ３），（Ｘ２，Ｙ１）．（Ｘ２，Ｙ２），（Ｘ３，Ｙ１）に対して回折格子周期ｄを２電極列周期に設定し、その他の画素対応ユニットについては４電極列周期に設定した例を示す。それぞれに対応する撮像素子６の画素は、２電極列周期と４電極列周期の設定によって、異なる波長の光が入射する。以上のように、画面上の選択は、波長選択手段３（図１参照）による画素対応ユニットの選択によって行うことができる。
【００７４】
また、図７は、色温度補正の空間的選択方法の例を示す。この方法では、カメラのビューファインダーなどにおいて、電気的画面マーカーを設け、画面マーカーＸ１０１，Ｘ１０２，Ｙ１０１，Ｙ１０２によって囲まれた画面に対応する画素対応ユニット領域を選択し、その領域の回折格子周期ｄとサブフィールドの組み合わせを選択的に設定できるようにすればよい。さらに簡単には、画面をあらかじめ数個の領域に分割しておき、それぞれの画素対応ユニット領域の回折格子周期とサブフィールドの組み合わせを選択できるようにしてもよい。
【００７５】
さらに、本発明のカラー撮像装置１において、波長選択手段３によって、選択する波長範囲を色空間において局所的に任意に限定することによって、局所的な色諧調を拡大することができる。局所的な色諧調を拡大することによって、１フレームの画像の所望の領域を、所望の色諧調の画像情報として得ることができる。図８は、色域拡大の例を示す。例えば、海面流出した油の分布や、水質汚濁などによる水面の微妙な色調変化は、肉眼では知覚できても従来のＴＶカメラ（ビデオカメラ）でははっきり検出することができない。この場合は、図５に示すように、該当する領域のカメラの色域を水面の色近傍に局在させて色諧調を深くとることにより検出できる。すなわち、波長選択手段３によって、図３に示す１フレームのサブフィールドにおける狭い帯域の波長を、各サブフィールドの色光として選択する、つまり、回折格子周期ｄの調整範囲を狭い範囲に限定すれば、しかも、その波長の選択範囲を狭く限定する範囲を、図５に示すように、領域的に選択すれば、特定の領域の色域を拡大して、その領域の色諧調を深くすることができる。
【００７６】
本発明において、以上のような局所的な色温度の制御および局所的な色諧調の制御は、波長選択手段３による磁化反転素子８Ａの選択によって形成される回折格子の回折格子周期ｄを、時分割された各期間で選択し、さらには、回折反射部２の特定の領域において、その回折格子周期ｄの調整を、波長選択手段３によって電気的に行うことができる。これによって、本発明のカラー撮像装置１では、色再現において一層臨場感の高い放送を実現でき、また、医療・診断においても、病変組織あるいは生体検査においてテレビによる忠実な色再現が可能になり、医療・診断におけるテレビの応用が拡大できる。さらに、絵画や伝統芸能、伝統工芸品等の記録においても忠実な色再現ができるため、文化財のアーカイブにも貢献できる。
【００７７】
さらに、色域の局所的拡大が可能になるため、わずかな色調変化で従来のＴＶカメラ（ビデオカメラ）では検出が困難であった水質汚濁の監視、海面への油流出の検知が可能となる、など安全・安心確保の面でもＴＶカメラの応用が拡大できる。また、工業デザインや服飾開発なども、色域の局所的拡大によって、電子データ化することが可能になる。また画面上、領域選択的に色温度補正ができれば、全体照明では実現し得ない局所的色温度選択により特殊演出も可能になる。
【図面の簡単な説明】
【００７８】
【図１】本発明のカラー撮像装置の構成例を示す模式概念図である。
【図２】回折反射部における光ビームの回折を説明する図である。
【図３】波長選択手段による回折反射光の波長の選択および偏光素子による回折反射光の偏光軸の回転角度の選択を説明する図である。
【図４】１フレームを多数のサブフィールドに時分割した例を示す図である。
【図５】（ａ）および（ｂ）は、磁化方向を反転させる素子の空間的な選択による色温度の領域選択的な制御の例を示す図である。
【図６】領域選択的な色温度の補正を可能とするカラー撮像装置における回折反射部の例（ハイビジョン用）を示す図である。
【図７】色温度補正の空間的選択方法の例を示す図である。
【図８】色域拡大の例を示す図である。
【図９】（ａ）〜（ｄ）は、それぞれ従来のカラー撮像装置における色分解の方法を示す図である。
【符号の説明】
【００７９】
１      カラー撮像装置
２      回折反射部
３      波長選択手段
４      光ビーム入射手段
５      偏光素子（偏光手段）
６      撮像素子（撮像手段）
７      基板
８      スピン注入型磁化反転素子（素子）
８Ａ    磁化反転素子
８Ｂ    非磁化反転素子
８１    スピン固定強磁性層
８２    非磁性中間層
８３    スピンフリー強磁性層
９      絶縁層
１０      下部電極
１１      上部透明電極
１２      偏光制御手段
１３      レンズ
Ｘ１，Ｘ２，Ｘ３、Ｘ４，Ｘ５，Ｘ６，Ｘ７，Ｘ８，Ｘ９，Ｘ１０，・・・・Ｘｎ
下部電極列
Ｙ１，Ｙ２，Ｙ３，Ｙ４，Ｙ５，Ｙ６，Ｙ７，Ｙ８，Ｙ９，Ｙ１０，・・・Ｙｎ
上部電極列
ｄ      回折格子周期
９１      受光面
９２      撮像素子
９２Ｒ，９２Ｇ，９２Ｂ      固体撮像素子
９３      カラーフィルタ
９４      レンズ
９５      光源
９６      色分解プリズム
９６Ｂ    青反射ダイクロイックミラー
９６Ｒ    赤反射ダイクロイックミラー
９７Ｒ，９７Ｂ      トリミングフィルタ
【図１】
0005033050.tif 000002
【図２】
0005033050.tif 000003
【図３】
0005033050.tif 000004
【図４】
0005033050.tif 000005
【図５】
0005033050.tif 000006
【図６】
0005033050.tif 000007
【図７】
0005033050.tif 000008
【図８】
0005033050.tif 000009
【図９】
0005033050.tif 000010